(57)【要約】【課題】手間無く正確に水位を測定し、体脂肪率を精度良く求めることができるようにする。【解決手段】浴槽に人が入る前と入った後の水位を測定し、体脂肪率を計算して表示する体脂肪率計測システムであって、浴槽に向けて超音波を発するとともにその浴槽内の水面で反射した超音波を受け得るよう浴槽の上方に固定され、超音波を利用して浴槽の水位を測定するセンサユニット１の超音波センサ１１および水位算出部１００と、浴槽に入浴者が入る前の入浴前水位と入った後の入浴後水位とを水位算出部１００から取得し、これら入浴前水位および入浴後水位を基に入浴者の体積を推定する体積推定部１０１と、体積推定部１０１で推定された入浴者の体積を基に体脂肪率を算出する体脂肪率算出部１０２と、体脂肪率算出部１０２で算出された体脂肪率を表示する浴室リモコン３の表示部３２とを備えたことを特徴とする。【選択図】  図３
2004254794.tif 000002
【特許請求の範囲】
【請求項１】
浴槽に人が入る前と入った後の水位を測定し、その測定結果を基に体脂肪率を計算して表示する体脂肪率計測システムであって、
前記浴槽に向けて音波もしくは電磁波を発するとともにその浴槽内の水面で反射した音波もしくは電磁波を受け得るよう前記浴槽の上方に固定され、前記音波もしくは電磁波を利用して前記浴槽の水位を測定する水位測定手段と、
前記浴槽に入浴者が入る前の入浴前水位と入った後の入浴後水位とを前記水位測定手段から取得し、これら入浴前水位および入浴後水位を基に前記入浴者の体積を推定する体積推定手段と、
前記体積推定手段で推定された前記入浴者の体積を基に体脂肪率を算出する体脂肪率算出手段と、
前記体脂肪率算出手段で算出された体脂肪率を表示する表示手段と、
を備えたことを特徴とする、体脂肪率計測システム。
【請求項２】
前記浴槽に湯水を供給する給湯手段と、前記給湯手段が前記浴槽に湯水を供給する際の給水量を積算する給水量積算手段と、前記給水量積算手段から得られる給水量と前記水位測定手段から得られる前記浴槽の水位との対応関係をあらかじめ規定する給水量水位対応関係規定手段と、人の年齢、性別、身長、体重の少なくともいずれか１つに応じた首から上の体積を規定する首上体積規定手段と、前記入浴者が自身の年齢、性別、身長、体重の少なくともいずれか１つを個人情報として入力するための個人情報入力手段とを有し、前記体積推定手段は、前記入浴前水位および入浴後水位を前記給水量と浴槽の水位との対応関係に当てはめることで前記入浴者の首から下の体積を算出し、前記個人情報に応じた首から上の体積を前記首から下の体積に加算することで前記入浴者の全身の体積を算出する、請求項１に記載の体脂肪率計測システム。
【請求項３】
人の年齢、性別、身長、体重の少なくともいずれか１つに応じた人体内の残気量を規定する体内残気量規定手段を有し、前記体脂肪率算出手段は、前記個人情報に応じた人体内の残気量を前記入浴者の全身の体積から差し引き、その値で前記個人情報として入力された体重を除算することで前記入浴者の体比重を算出し、この体比重を所定の体脂肪率計算式に代入して体脂肪率を算出する、請求項２に記載の体脂肪率計測システム。
【請求項４】
前記浴槽付近に設置され、前記表示手段および前記個人情報入力手段としての機能を有するとともに、前記給湯手段を遠隔操作するための機能を有する浴室リモコンと、前記浴槽の上方に位置する天井に取り付けられ、前記水位測定手段としての機能を有するセンサユニットとを備え、これら浴室リモコンとセンサユニットには、互いに無線で情報をやり取りするための無線通信手段が設けられている、請求項２または３に記載の体脂肪率計測システム。
【請求項５】
前記給湯手段が前記浴槽に湯水を供給中に前記水位測定手段から前記浴槽の水位を随時取得し、取得した水位を基に前記給湯手段の動作を制御する給湯自動制御手段を有する、請求項２ないし４のいずれかに記載の体脂肪率計測システム。
【発明の詳細な説明】
【０００１】
【発明の属する技術分野】
本発明は、たとえば超音波などを用いて浴槽に人が入る前と入った後の水位を測定し、その測定結果を基に体脂肪率を計算して表示し得る体脂肪率計測システムに関する。
【０００２】
【従来の技術】
入浴に際して体脂肪率を計測する方法としては、超音波を利用する方法がある（たとえば、特許文献１参照）。
【０００３】
これは、超音波送受機能や演算機能などを搭載した浮遊式装置を浴槽の水面に浮かべ、その浮遊式装置から浴槽の底面に向けて出た超音波が反射して戻ってくるまでの時間などに基づき水位（浴槽の底面から水面までの距離）を測定し、この測定値を用いて体脂肪率を計測する方法である。浮遊式装置には、あらかじめ入浴者の体重や浴槽の面積を入力しておく。そして、浮遊式装置を用いて入浴前の水位と入浴後の水位とを測定し、それらの水位差に浴槽の面積を乗算して入浴者の体積を得る。最終的に、入浴者の体積と体重から体比重を算出し、体比重を所定の体脂肪率計算式に代入することで体脂肪率を算出している。
【０００４】
【特許文献１】
特開平１０−１９２２５７号公報
【０００５】
【発明が解決しようとする課題】
しかしながら、上記のような浮遊式装置を用いる方法では、水面上の浮遊式装置に直接触れるなどして測定開始などの操作を行わなければならず、その際に水面に乱れが生じてしまう。また、浮遊式装置を水面に浮かべる前にそのような操作を行っておくとしても、浮かべる際に多少なりとも水面が上下に揺らいでしまう。つまり、浮遊式装置を不安定に浮かべた状態で測定しなければならず、浮遊式装置や水面がほとんど動かない状態になるまでは水位を正しく測定できないので、最終的に得られる体脂肪率としてもそれほど正確な値を期待できないという問題があった。また、浴槽内の水面上に浮遊式装置が浮遊するので、快適な入浴が阻害されることにもなる。
【０００６】
【発明の開示】
本発明は、このような事情のもとで考え出されたものであって、手間無く正確に水位を測定し、体脂肪率を精度良く求めることができ、快適な入浴を実現することができる体脂肪率計測システムを提供することを、その課題としている。
【０００７】
上記の課題を解決するため、本発明では、次の技術的手段を講じている。
【０００８】
すなわち、本発明によれば、浴槽に人が入る前と入った後の水位を測定し、その測定結果を基に体脂肪率を計算して表示する体脂肪率計測システムであって、前記浴槽に向けて音波もしくは電磁波を発するとともにその浴槽内の水面で反射した音波もしくは電磁波を受け得るよう前記浴槽の上方に固定され、前記音波もしくは電磁波を利用して前記浴槽の水位を測定する水位測定手段と、前記浴槽に入浴者が入る前の入浴前水位と入った後の入浴後水位とを前記水位測定手段から取得し、これら入浴前水位および入浴後水位を基に前記入浴者の体積を推定する体積推定手段と、前記体積推定手段で推定された前記入浴者の体積を基に体脂肪率を算出する体脂肪率算出手段と、前記体脂肪率算出手段で算出された体脂肪率を表示する表示手段とを備えたことを特徴とする、体脂肪率計測システムが提供される。
【０００９】
このような体脂肪率計測システムによれば、入浴者自身が水面に直接触れる以外は水面に乱れを生じさせるような物を浮かべる必要もなく、浴槽の上方から速やかに浴槽の水位を測定することができるので、手間無く正確に水位を測定することができ、ひいては体脂肪率を精度良く求めることができる。また、浴槽内の水面上に測定のための装置を浮かべる必要がないので、快適な入浴を実現することができる。
【００１０】
好ましい実施の形態としては、前記浴槽に湯水を供給する給湯手段と、前記給湯手段が前記浴槽に湯水を供給する際の給水量を積算する給水量積算手段と、前記給水量積算手段から得られる給水量と前記水位測定手段から得られる前記浴槽の水位との対応関係をあらかじめ規定する給水量水位対応関係規定手段と、人の年齢、性別、身長、体重の少なくともいずれか１つに応じた首から上の体積を規定する首上体積規定手段と、前記入浴者が自身の年齢、性別、身長、体重の少なくともいずれか１つを個人情報として入力するための個人情報入力手段とを有し、前記体積推定手段は、前記入浴前水位および入浴後水位を前記給水量と浴槽の水位との対応関係に当てはめることで前記入浴者の首から下の体積を算出し、前記個人情報に応じた首から上の体積を前記首から下の体積に加算することで前記入浴者の全身の体積を算出する構成とすることができる。
【００１１】
このような構成によれば、首から上の体積（以下、首上体積という）と首から下の体積（以下、首下体積という）とに分けて入浴者の全身の体積を算出するので、入浴者は、浴槽に入って水位を測定する際に頭を水面下まで沈める必要はなく、首まで浸かるようにして普通の姿勢をとるだけで良く、容易に水位を測定することができる。
【００１２】
他の好ましい実施の形態としては、人の年齢、性別、身長、体重の少なくともいずれか１つに応じた人体内の残気量を規定する体内残気量規定手段を有し、前記体脂肪率算出手段は、前記個人情報に応じた人体内の残気量を前記入浴者の全身の体積から差し引き、その値で前記個人情報として入力された体重を除算することで前記入浴者の体比重を算出し、この体比重を所定の体脂肪率計算式に代入して体脂肪率を算出する構成とすることができる。
【００１３】
このような構成によれば、入浴者の体内の残気量まで考慮して正味の全身体積を求め、それを基に体脂肪率を算出するので、より真の値に近い体脂肪率を得ることができる。
【００１４】
他の好ましい実施の形態としては、前記浴槽付近に設置され、前記表示手段および前記個人情報入力手段としての機能を有するとともに、前記給湯手段を遠隔操作するための機能を有する浴室リモコンと、前記浴槽の上方に位置する天井に取り付けられ、前記水位測定手段としての機能を有するセンサユニットとを備え、これら浴室リモコンとセンサユニットには、互いに無線で情報をやり取りするための無線通信手段が設けられている構成とすることができる。
【００１５】
このような構成によれば、センサユニットを浴室リモコンなどにケーブルで接続するといった配線工事を行う必要がなく、センサユニットと浴室リモコンとの間で無線により必要な情報をやり取りすることができる。
【００１６】
他の好ましい実施の形態としては、前記給湯手段が前記浴槽に湯水を供給中に前記水位測定手段から前記浴槽の水位を随時取得し、取得した水位を基に前記給湯手段の動作を制御する給湯自動制御手段を有する構成とすることができる。
【００１７】
このような構成によれば、たとえば所定の水位に達した時点で湯水の供給を停止するといった自動湯張り機能を実現することができる。
【００１８】
本発明のその他の特徴および利点は、添付図面を参照して以下に行う発明の実施の形態の説明によって、より明らかになるであろう。
【００１９】
【発明の実施の形態】
以下、本発明の好ましい実施の形態を、図面を参照して具体的に説明する。
【００２０】
図１は、本発明に係る体脂肪率計測システムの一実施形態を示す概観図、図２は、同システムの構成を模式的に示す模式図である。
【００２１】
体脂肪率計測システムは、センサユニット１、給湯装置２、浴室リモコン３、および台所リモコン４からなる。センサユニット１は、浴槽５の上方に位置する浴室６の天井に設置され、たとえば赤外線などの無線で浴室リモコン３と通信できるように構成されている。給湯装置２は、屋外に設置されている。浴室リモコン３および台所リモコン４は、信号に重畳して電源電圧を伝える２芯のケーブル７を介して給湯装置２に接続されている。浴室リモコン３は、浴室６内における浴槽５付近の壁に設置され、台所リモコン４は、台所８の壁に設置されている。また、給湯装置２から浴槽５内の出湯口５１にかけては、図２に示すように給水管９が敷設されている。
【００２２】
図３は、体脂肪率計測システムの電気的構成を示すブロック図である。
【００２３】
センサユニット１は、ＣＰＵ、ＲＯＭ、ＲＡＭ、ＥＥＰＲＯＭなどからなるマイコン１０、超音波センサ１１、および無線通信部１２を備える。マイコン１０は、水位算出部１００、体積推定部１０１、体脂肪率算出部１０２として機能し、給水量水位測定規定テーブル１１０、首上体積規定テーブル１１１、体内残気量規定テーブル１１２を保持している。
【００２４】
給湯装置２は、ＣＰＵ、ＲＯＭ、ＲＡＭ、ＥＥＰＲＯＭなどからなるマイコン２０、給湯部２１、流量センサ２２、および通信部２３を備える。マイコン２０は、給湯自動制御部２００や給水量積算部２０１として機能する。
【００２５】
浴室リモコン３は、ＣＰＵ、ＲＯＭ、ＲＡＭ、ＥＥＰＲＯＭなどからなるマイコン３０、操作部３１、表示部３２、無線通信部３３、および通信部３４を備える。
【００２６】
台所リモコン４は、ＣＰＵ、ＲＯＭ、ＲＡＭ、ＥＥＰＲＯＭなどからなるマイコン４０、操作部４１、表示部４２、および通信部４４を備える。
【００２７】
センサユニット１の各構成について分説すると、超音波センサ１１は、図２に明示するように、浴槽５に向けて発した超音波が浴槽５内の水面Ｓｗ１，Ｓｗ２や底面５０で反射して戻ってくるまでの時間を計り、その時間と音の速さとの関係から距離Ｌ０，Ｌ１，Ｌ２を求めて測距信号を出力するものである。距離Ｌ０は、超音波センサ１１の超音波出射面から浴槽５の底面５０までの固定距離に相当し、システムを準備する段階などに一度得られた後は水位算出部１００に設定保存される。距離Ｌ１は、同じく超音波センサ１１の超音波出射面を基準としつつも、浴槽５内にある程度の湯水が貯められた状態でその湯水に入浴者Ｐが浸かる前の水面Ｓｗ１までの距離を意味する。また、距離Ｌ２は、同じく超音波センサ１１の超音波出射面を基準としつつも、浴槽５内に貯められた湯水に入浴者Ｐが浸かることで上昇した水面Ｓｗ２までの距離を意味する。したがって、距離Ｌ１，Ｌ２は、必ずＬ２＜Ｌ１の大小関係をなすものの、値そのものは状況に応じてその都度異なる。
【００２８】
水位算出部１００は、超音波センサ１１から測距信号に基づき距離Ｌ１，Ｌ２を取得し、あらかじめ設定保存された固定距離Ｌ０からこれらの距離Ｌ１，Ｌ２を差し引くことで水位Ｈ１，Ｈ２を算出する。つまり、水位Ｈ１は、浴槽５内に貯められた湯水に入浴者Ｐが浸かる前の入浴前水位であり、水位Ｈ２は、その湯水に入浴者Ｐが浸かった状態での入浴後水位を意味する。なお、超音波センサ１１や水位算出部１００は、給湯中に時々刻々と変化する水位を測るためにも利用される。
【００２９】
給水量水位規定テーブル１１０は、システムを準備する段階などに浴槽５に対する湯水の供給を給湯装置２に行わせ、その際に給水量積算部２０１から浴槽５に対する給水量（体積）を随時取得するとともに超音波センサ１１および水位算出部１００を通じて水位を取得することにより、これら給水量と水位との対応関係を示すデータとして事前に作成されたものである。なお、このような給水量と水位との対応関係については、テーブル形式のデータに限らず、引数（水位）を与えれば結果（給水量）を返すといった関数により規定しておいても良い。水位算出部１００で算出された入浴前水位Ｈ１と入浴後水位Ｈ２とは、給水量水位規定テーブル１１０に当てはめられることにより、入浴前の湯水だけの水体積と入浴者Ｐが浸かった分だけ嵩高になる入浴後の総体積とに換算される。このような給水量水位規定テーブル１１０を用いることで水位から体積を求めることができるが、これは、浴槽５の内部形状として水平面の面積が簡単には定まらない複雑な形状が多く様々な形状タイプがあり、面積を定数として単純に取り扱えないためである。
【００３０】
首上体積規定テーブル１１１は、人間の首より上の首上体積を人の年齢、性別、身長、体重をパラメータとして求めることができるようにあらかじめ統計的に定められたデータである。もちろん、このような首上体積と年齢、性別、身長、体重との関係についても、引数（年齢、性別、身長、体重）を与えれば結果（首上体積）を返すといった関数により規定しておいても良い。
【００３１】
体内残気量規定テーブル１１２は、人間の臓器などに残留する空気の体積（体内残気量）を、人の年齢、性別、身長、体重をパラメータとして求めることができるようにあらかじめ統計的に定められたデータである。もちろん、このような体内残気量と年齢、性別、身長、体重との関係についても、引数（年齢、性別、身長、体重）を与えれば結果（体内残気量）を返すといった関数により規定しておいても良い。
【００３２】
体積推定部１０１は、浴室リモコン３などを用いて入浴者Ｐに関する個人情報として入力された年齢、性別、身長、体重を首上体積規定テーブル１１１に当てはめ、入浴者Ｐの年齢、性別、身長、体重に応じた首上体積Ｖｔを求める。求められた首上体積Ｖｔは、一旦保持される。体積推定部１０１は、水位算出部１００で算出された入浴前水位Ｈ１と入浴後水位Ｈ２とを給水量水位規定テーブル１１０に当てはめることで入浴前の水体積と入浴後の総体積とを求め、入浴後の総体積から入浴前の水体積を差し引くことで体積の増分、すなわち入浴者Ｐの首下体積Ｖｕを算出する。そして、体積推定部１０１は、算出した首下体積Ｖｕに首上体積Ｖｔを加算することで入浴者Ｐの全身体積Ｖｗを算出する。
【００３３】
体脂肪率算出部１０２は、浴室リモコン３などを用いて入浴者Ｐに関する個人情報として入力された年齢、性別、身長、体重を体内残気量規定テーブル１１２に当てはめ、入浴者Ｐに応じた体内残気量Ｖｓを求める。求められた体内残気量Ｖｓは、一旦保持される。体脂肪率算出部１０２は、体積推定部１０１で得られた全身体積Ｖｗから体内残気量Ｖｓを差し引くことにより、入浴者Ｐの正味全身体積Ｖｎｅｔ  を算出する。そして、体脂肪率算出部１０２は、入浴者Ｐに関する個人情報として入力された体重Ｗｔを正味全身体積Ｖｎｅｔ  で除算することにより入浴者Ｐの体比重Ｗ／Ｖを算出する。体脂肪率算出部１０２は、たとえば｛（４．５７／体比重）−４．１４２｝×１００＝体脂肪率（％）として示されるＢｒｏｚｅｋの体脂肪率算出式に体比重Ｗ／Ｖを代入し、これにより入浴者Ｐの体脂肪率ＢＦＰを最終的に得る。
【００３４】
無線通信部１２は、浴室リモコン３の無線通信部３３との間で体脂肪率ＢＦＰや浴槽５の水位に関するデータさらには制御コマンドなどを、たとえば赤外線をキャリアとする無線通信方式でやり取りする。
【００３５】
給湯装置２の各構成について分説すると、給湯部２１は、上水を加熱して給水管９に湯水を送り出すための加熱器やポンプなどからなり、それらの動作がマイコン２０により制御される。流量センサ２２は、給湯部２１から給水管９に湯水が送り出される際の瞬間的な流量を計測している。給湯自動制御部２００は、浴室リモコン３などを用いて設定された給湯温度や自動湯張り水位などに応じて給湯部２１の動作を自動制御する。たとえば、自動給湯中の場合、センサユニット１から浴室リモコン３を経由して随時得られる浴槽５の水位があらかじめ設定された自動湯張り水位に達すると、給湯自動制御部２００は、それまで給湯部２１に実行させていた湯水の供給を停止させる。給水量積算部２０１は、流量センサ２２から得られる流量をある時点からある時点まで積算することでその間に供給された総量としての給水量（体積）を求める。通信部２３は、浴室リモコン３や台所リモコン４の通信部３４，４４との間で各種のデータや制御コマンドをやり取りするほか、浴室リモコン３を経由してセンサユニット１との間でも各種のデータや制御コマンドをやり取りする。
【００３６】
浴室リモコン３の各構成について分説すると、マイコン３０は、各部３１〜３４における入出力動作を制御する。操作部３１は、図２に明示するように運転キー３１０や上下キー３１１、ふろ自動キー３１２や設定キー３１３などからなり、全般的には給湯に関する各種の操作に用いられる。特に、体脂肪率の計測表示や入浴前水位Ｈ１あるいは入浴後水位Ｈ２の測定開始指示、入浴者Ｐの年齢、性別、身長、体重といった個人情報の入力を行う際には、設定キー３１３が用いられる。表示部３２は、たとえば多数の蛍光体をドットマトリクス状に配置した蛍光管、あるいは液晶ディスプレイなどからなり、図２に明示するように給湯温度や現在時刻などとともに入浴者Ｐの体脂肪率ＢＦＰを表示する。無線通信部３３は、センサユニット１の無線通信部１２との間で体脂肪率ＢＦＰや浴槽５の水位などに関するデータさらには制御コマンドなどを、たとえば赤外線をキャリアとする無線通信方式でやり取りする。通信部３４は、給湯装置２の通信部２３との間で各種のデータや制御コマンドをやり取りするほか、給湯装置２を経由して台所リモコン４との間でも各種のデータや制御コマンドをやり取りする。
【００３７】
台所リモコン４の各構成について分説すると、マイコン４０は、各部４１，４２，４４における入出力動作を制御する。操作部４１は、図２に明示するように運転キー４１０や上下キー４１１、ふろ自動キー４１２や設定キー４１３などからなり、基本的に給湯に関する各種の操作に用いられる。表示部４２は、たとえば多数の蛍光体をドットマトリクス状に配置した蛍光管、あるいは液晶ディスプレイなどからなり、図２に明示するように給湯温度や現在時刻などとともに入浴者Ｐの体脂肪率ＢＦＰを表示する。通信部４４は、給湯装置２の通信部２３との間で各種のデータや制御コマンドをやり取りするほか、給湯装置２を経由して台所リモコン４やセンサユニット１との間でも各種のデータや制御コマンドをやり取りする。
【００３８】
次に、動作について説明する。
【００３９】
図４は、体脂肪率を計測する際の処理手順を示すフローチャートである。まず、入浴者Ｐが浴室リモコン３を操作して自身の年齢、性別、身長、体重といった個人情報を入力すると（Ｓ１）、入力された個人情報がセンサユニット１に送られ、マイコン１０のＥＥＰＲＯＭなどに記憶される。個人情報には、入浴者Ｐが誰であるかを特定するためのたとえば名前などを含めることができる。このような個人情報の入力については、計測モードとは別の設定モードを選択することで事前に行っておくことができる。また、設定モード時には、複数人の個人情報を入力しておくことができ、一度行っておけばその都度入力する必要はない。もちろん、必要に応じて個人情報の内容を変更することができる。
【００４０】
その後、入浴者Ｐが浴室リモコン３を操作して計測モードを選択し、体脂肪率の計測表示開始を指示すると、その旨の制御コマンドがセンサユニット１に送られ、第１段階の動作として入浴前水位Ｈ１の測定が行われる（Ｓ２）。このとき、浴槽５内においては、ある程度の湯水が貯められた状態にある。入浴者Ｐは、浴槽５内の湯水に浸かることなく浴槽５外に位置し、湯水に触れるなどして水面Ｓｗ１が乱れるといったことがないようにしなければならないが、入浴前水位Ｈ１の測定は瞬時に終わるため長時間待たされることはない。
【００４１】
次に、入浴者Ｐは、浴槽５内の湯水に首まで浸かった後、再び浴室リモコン３を操作し、第２段階の動作として入浴後水位Ｈ２の測定開始を指示するが、このときに浴槽５に対する湯水の供給中でなければ（Ｓ３：ＮＯ）、入浴後水位Ｈ２の測定開始を指示する旨の制御コマンドがセンサユニット１に送られ、入浴後水位Ｈ２の測定が行われる（Ｓ４）。なお、入浴後水位Ｈ２の測定自体も瞬時に終わるが、入浴者Ｐが浴槽５内の湯水に浸かった状態で測定するため、ある程度水面Ｓｗ２が落ち着いて安定した状態になってから測定するよう、若干操作に遅れて測定が行われる。
【００４２】
入浴前水位Ｈ１に続いて入浴後水位Ｈ２を測定すると、これら入浴前水位Ｈ１と入浴後水位Ｈ２とを給水量水位規定テーブル１１０に当てはめることで入浴前の水体積と入浴後の総体積とに変換し、さらに、入浴後の総体積から入浴前の水体積を差し引くことで入浴者Ｐの首下体積Ｖｕを算出する（Ｓ５）。
【００４３】
また、入浴者Ｐの個人情報を首上体積規定テーブル１１１に当てはめることで首上体積Ｖｔを求め、この首上体積Ｖｔを首下体積Ｖｕに加算することで入浴者Ｐの全身体積Ｖｗを算出する（Ｓ６）。なお、首上体積Ｖｔについては、あらかじめ求めておいた上で個人情報に含めておいても良い。
【００４４】
さらに、入浴者Ｐの個人情報を体内残気量規定テーブル１１２に当てはめることで体内残気量Ｖｓを求め、この体内残気量Ｖｓを全身体積Ｖｗから差し引くことで入浴者Ｐの正味全身体積Ｖｎｅｔ  を算出する（Ｓ７）。なお、体内残気量Ｖｓについても、あらかじめ求めておいた上で個人情報に含めておいても良い。
【００４５】
そして、入浴者Ｐが個人情報として入力したうちの体重Ｗｔを正味全身体積Ｖｎｅｔで除算することにより、入浴者Ｐの体比重Ｗ／Ｖを算出する（Ｓ８）。
【００４６】
最終的には、｛（４．５７／体比重）−４．１４２｝×１００＝体脂肪率（％）で示されるＢｒｏｚｅｋの体脂肪率算出式に体比重Ｗ／Ｖを代入し、これにより入浴者Ｐの体脂肪率ＢＦＰを得る（Ｓ９）。
【００４７】
こうして入浴者Ｐの体脂肪率ＢＦＰが得られると、この体脂肪率ＢＦＰに関するデータがセンサユニット１から浴室リモコン３に送られ、浴室リモコン３の表示部３２に入浴者Ｐの体脂肪率ＢＦＰが表示される（Ｓ１０）。また、浴室リモコン３から給湯装置２を経由して台所リモコン４にも体脂肪率ＢＦＰに関するデータが送られ、台所リモコン４の表示部４２にも入浴者Ｐの体脂肪率ＢＦＰが表示される。
【００４８】
Ｓ３において、浴槽５に対して湯水を供給中（Ｓ３：ＹＥＳ）、入浴前水位Ｈ１の測定直後には、給湯装置２の給水量積算部２０１に浴槽５に対する給水量ｄＶの積算を開始させる（Ｓ１１）。
【００４９】
その後、Ｓ４と同様の手順で入浴後水位Ｈ２’の測定が行われる（Ｓ１２）。
【００５０】
それとほぼ同時に、給水量積算部２０１に給水量ｄＶの積算を終了させ（Ｓ１３）、Ｓ５に進む。このとき、測定された入浴後水位Ｈ２’には、入浴前水位Ｈ１の測定直後から浴槽５に供給された湯水、すなわち給水量積算部２０１で積算された給水量ｄＶによる増分が含まれる。そのため、Ｓ５においては、入浴前水位Ｈ１と入浴後水位Ｈ２’とを入浴前の水体積と入浴後の総体積とに変換し、入浴後の総体積から入浴前の水体積を差し引き、さらに積算された給水量ｄＶを差し引くことで入浴者Ｐの首下体積Ｖｕを算出する。これによれば、給湯運転を一旦停止させてから体脂肪率ＢＦＰの計測を行い、その後給湯運転を再開させるなどといった面倒な手順をとる必要がなく、給湯中でも何ら問題なく体脂肪率ＢＦＰの計測を行うことができる。
【００５１】
図５は、自動給湯を行う場合の処理手順を示すフローチャートである。たとえば浴室リモコン３を操作して自動給湯運転の開始を指示すると、給湯装置２における給湯運転が開始される（Ｓ２１）。なお、給湯装置２のマイコン２０におけるＥＥＰＲＯＭなどには、あらかじめ設定された給湯温度や自動湯張り水位などが記憶されている。
【００５２】
給湯運転が開始されると、その旨の制御コマンドが浴室リモコン３を経由してセンサユニット１に伝えられ、センサユニット１が浴槽５の水位を定期的に測定し始める（Ｓ２２）。そうして得られた浴槽５の水位に関するデータは、その都度浴室リモコン３を経由して給湯装置２に伝えられる。
【００５３】
給湯装置２では、センサユニット１で測定された浴槽５の水位（測定水位）があらかじめ設定された水位（設定水位）以上になったか否かが判断され（Ｓ２３）、測定水位が設定水位以上になると（Ｓ２３：ＹＥＳ）、給湯装置２における給湯運転が終了される（Ｓ２４）。
【００５４】
Ｓ２３において、測定水位が設定水位未満の場合（Ｓ２３：ＮＯ）、測定水位に関するデータの取得を継続すべく、Ｓ２２に戻る。つまり、センサユニット１は、自動湯張り機能を実現する上でも有効に活用される。
【００５５】
したがって、上記したような体脂肪率計測システムによれば、入浴者Ｐ自身が水面に直接触れる以外は水面に乱れを生じさせるような物を浮かべる必要もなく、浴槽５の上方に位置する浴室６の天井に固定されたセンサユニット１を介して速やかに浴槽５の水位を測定できるので、手間無く正確に入浴前水位Ｈ１や入浴後水位Ｈ２を測定することができ、ひいては入浴者Ｐ自身の体脂肪率ＢＦＰを精度良く求めることができる。
【００５６】
また、首上体積Ｖｔと首下体積Ｖｕとに分けて入浴者Ｐの全身体積Ｖｗが求められるので、入浴者Ｐは、浴槽５に入って入浴後水位Ｈ２（Ｈ２’）を測定する際に首より上の頭部を水面Ｓｗ２下まで沈める必要はなく、首まで浸かるようにして普通の姿勢をとるだけで良く、容易に入浴後水位Ｈ２（Ｈ２’）を測定することができる。
【００５７】
また、入浴者Ｐ自身の年齢、性別、身長、体重に応じた体内残気量Ｖｓまで考慮して正味の全身体積Ｖｎｅｔ  を求め、それを基に体脂肪率ＢＦＰを算出しているので、より真の値に近い体脂肪率ＢＦＰを得ることができる。
【００５８】
なお、本発明は、上記の実施形態に限定されるものではない。
【００５９】
たとえば、他の実施形態としては、図６に示すようにセンサユニット１と浴室リモコン３とをケーブル７を介して接続するようにしても良い。
【００６０】
マイコン１０，２０，３０，４０により実現される各機能は、センサユニット１や給湯装置２、浴室リモコン３などに分散させることなく、たとえば給湯装置２のマイコン２０に全ての機能を集約させるように構成しても良い。たとえば、センサユニット１と給湯装置２とをリモコンコードで接続し、給湯装置２からセンサユニット１にリモコンコードを介して電源を供給するとともに、電源重畳信号にのせて体脂肪率に関する情報をやり取りすることにより、浴室リモコン３などに体脂肪率に関する情報を表示または報知させることができる。
【００６１】
センサユニット１には、超音波センサ１１に代え、たとえばレーザパルスなどの電磁波を用いて浴槽５の水位を測定する測距センサを設けるようにしても良い。
【００６２】
首上体積規定テーブル１１１や体内残気量規定テーブル１１２のパラメータ、および個人情報の項目としては、年齢、性別、身長、体重といった全ての項目を網羅する必要はなく、少なくとも体重の項目さえあれば良い。
【図面の簡単な説明】
【図１】本発明に係る体脂肪率計測システムの一実施形態を示す概観図である。
【図２】体脂肪率計測システムの構成を模式的に示す模式図である。
【図３】体脂肪率計測システムの電気的構成を示すブロック図である。
【図４】体脂肪率を計測する際の処理手順を示すフローチャートである。
【図５】自動給湯を行う場合の処理手順を示すフローチャートである。
【図６】本発明に係る体脂肪率計測システムの他の実施形態を示す概観図である。
【符号の説明】
１      センサユニット
２      給湯装置
３      浴室リモコン
４      台所リモコン
５      浴槽
６      浴室
７      ケーブル
８      台所
９      給水管
１０    マイコン
１１    超音波センサ
１２    無線通信部
２０    マイコン
２１    給湯部
２２    流量センサ
２３    通信部
３０    マイコン
３１    操作部
３２    表示部
３３    無線通信部
３４    通信部
４０    マイコン
４１    操作部
４２    表示部
４４    通信部
１００  水位算出部
１０１  体積推定部
１０２  体脂肪率算出部
１１０  給水量水位測定規定テーブル
１１１  首上体積規定テーブル
１１２  体内残気量規定テーブル
２００  給湯自動制御部
２０１  給水量積算部
【図１】
2004254794.tif 000003
【図２】
2004254794.tif 000004
【図３】
2004254794.tif 000005
【図４】
2004254794.tif 000006
【図５】
2004254794.tif 000007
【図６】
2004254794.tif 000008